【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
骨組織内に固定するためのインプラント（１０）と、
前記インプラント（１０）上に設置するように構成された補綴コンポーネント（２０）と、
前記補綴コンポーネント（２０）を前記インプラント（１０）に締結するのに適した締結手段（３０）とを備える歯科インプラントシステム（１）であって、
前記インプラント（１０）と前記補綴コンポーネント（２０）が、互いに第１のテーパ接続（４０）および第２のテーパ接続（５０）を有するように構成されており、
前記インプラント（１０）が、前記第１のテーパ接続（４０）の雄型接続部分を備え、
前記補綴コンポーネント（２０）が前記インプラント（１０）上に設置されており、かつ
前記補綴コンポーネント（２０）が前記締結手段（３０）によって前記インプラント（１０）に締結されていないときに、
前記インプラント（１０）と前記補綴コンポーネント（２０）との間に許容領域（６０）が形成され、前記許容領域が、前記締結手段（３０）による締結中に、前記テーパ接続（４０、５０）の嵌合接続部分を互いにさらに押し込むことができるように構成されている、歯科インプラントシステム（１）。
【請求項２】
前記第１のテーパ接続（４０）のインプラント側接続部分（４１）および／または
前記第２のテーパ接続（５０）のインプラント側接続部分（５１）が、
前記インプラント（１０）の歯冠側端部（１４）に配置されている、請求項１に記載の歯科インプラントシステム（１）。
【請求項３】
前記第２のテーパ接続（５０）のインプラント側接続部分（５１）が雌型接続部分として設計されており、
特に、前記第２のテーパ接続（５０）のインプラント側接続部分（５１）がインプラント凹部（１６）の一部として設計されている、請求項１または２に記載の歯科インプラントシステム（１）。
【請求項４】
前記第２のテーパ接続（５０）のインプラント側接続部分（５１）が雄型接続部分として設計されており、
特に、
前記第１のテーパ接続（４０）のインプラント側接続部分（４１）が、前記インプラント（１０）の歯冠側端部（１４）に配置されており、
前記第２のテーパ接続（５０）のインプラント側接続部分（５１）が、インプラント軸（１９）から遠位側にある前記インプラント（１０）の表面に配置されており、
特に、前記第２のテーパ接続（５０）のインプラント側接続部分（５１）が、前記第１のテーパ接続（４０）のインプラント側接続部分（４１）の根尖側に配置されている、請求項１または２に記載の歯科インプラントシステム（１）。
【請求項５】
インプラント軸に対する前記第１のテーパ接続（４０）および／または前記第２のテーパ接続（５０）のクランプ面の角度が、８°または８°未満である、請求項１〜４のいずれか一項に記載の歯科インプラントシステム（１）。
【請求項６】
インプラント軸（１９）への前記インプラント（１０）のクランプ面（４５）の投影長が、最大で１ｍｍである、請求項１〜５のいずれか一項に記載の歯科インプラントシステム（１）。
【請求項７】
前記締結されていない状態での前記許容領域（６０）が、歯冠側−根尖側方向における前記インプラント（１０）と前記補綴コンポーネント（２０）との間の距離として設計されており、
特に、歯冠側−根尖側方向における前記インプラント（１０）と前記補綴コンポーネント（２０）との間の前記距離が、前記締結されていない状態で少なくとも１００μｍである、請求項１〜６のいずれか一項に記載の歯科インプラントシステム（１）。
【請求項８】
前記締結手段（３０）がねじ山を備え、
特に、前記締結手段がねじとして設計されている、請求項１〜７のいずれか一項に記載の歯科インプラントシステム（１）。
【請求項９】
前記インプラント（１０）および／または前記補綴コンポーネント（２０）が、方向付け補助具、位置決め補助具および／またはねじれ保護部として設計された構造要素（７０）を備える、請求項１〜８のいずれか一項に記載の歯科インプラントシステム（１）。
【請求項１０】
前記構造要素（７０）が、突出部（７１）および対応する切欠部（７２）として設計されており、
特に、前記突出部（７１）および前記切欠部（７２）が少なくとも本質的に箱形に設計されており、
特に、前記突出部（７１）および前記切欠部（７２）が、歯冠側および／または根尖側方向にテーパ状になっている、請求項９に記載の歯科インプラントシステム（１）。
【請求項１１】
前記構造要素（７０）が
接続部分（４１、４２、５１、５２）内に、および／または
前記接続部分（４１、４２、５１、５２）の根尖側に配置されている、請求項９または１０に記載の歯科インプラントシステム（１）。
【請求項１２】
前記補綴コンポーネント（２０）が、アバットメント、クラウンまたは外側スリーブとして設計されている、請求項１〜１１のいずれか一項に記載の歯科インプラントシステム（１）。
【手続補正２】
【補正対象書類名】明細書
【補正対象項目名】００９１
【補正方法】変更
【補正の内容】
【００９１】
構造要素は、突出部および／または切欠部、特にインプラント軸から軸方向に延びる突出部および／または切欠部として設計することができる。例えば、インプラントは突出部を備えることができ、補綴コンポーネントはそれに適合する切欠部を備えることができる。例えば、インプラントは、切欠部を備えることができ、補綴コンポーネントは、それに適合する突出部を備えることができる。例えば、インプラントならびに補綴コンポーネントは、切欠部と、この切欠部に適合される突出部とを備えることができる。歯科インプラントシステムは、例えば、正確に、または少なくとも１つ、２つ、４つ、６つまたは８つの切欠部および／または突出部を備えることができる。
【手続補正３】
【補正対象書類名】明細書
【補正対象項目名】０１１０
【補正方法】変更
【補正の内容】
【０１１０】
一実施形態では、構造要素は、突出部および対応する切欠部として設計することができる。特に、突出部および切欠部は、少なくとも本質的に箱型に設計することができる。突出部および切欠部は、歯冠および／または根尖方向にテーパ状になることができる。
【手続補正４】
【補正対象書類名】明細書
【補正対象項目名】０１１６
【補正方法】変更
【補正の内容】
【０１１６】
【図１】２つのテーパ接続部分を有するインプラントの断面の詳細を示す図である。
【図２】長い内側のテーパ接続部分を有するインプラントの断面の詳細を示す図である。
【図３】２つのテーパ接続および許容領域を有する、インプラントおよびその上に設置された補綴コンポーネントの断面の詳細を示す図である。
【図４】図３と同様の詳細な図であり、補綴コンポーネントが締結手段によってインプラントに締結され、許容領域のサイズが縮小されている図である。
【図５】インプラントおよび補綴コンポーネントの断面の拡大された詳細な図であり、それらの間に許容領域が据えられた図である。
【図６】インプラントおよび補綴コンポーネントの断面の拡大された詳細図であり、許容領域がそれらの間に配置され、外側の補綴コンポーネントが長い接続部分を含む図である。
【図７】セメント接着されたクラウンを有する歯科インプラントシステムの断面の詳細図である。
【図８】アバットメントとして設計された上張りされた補綴コンポーネントを有する歯科インプラントシステムの断面の詳細図であり、アバットメントがジャケットを備える。
【図９】「骨レベル」インプラントを有する、植え込み後のインプラント歯科インプラントシステムの断面図である。
【図１０】「モノタイプ」構成の植え込み後の歯科インプラントシステムの断面図である。
【図１１】円筒状のネックを有する「組織レベル」インプラントを備えた植え込み後の歯科インプラントシステムの断面図である。
【図１２】チューリップ形状のネックを備有する「組織レベル」インプラントを備えた、別の植え込み後の歯科インプラントシステムの断面図である。
【図１３】外部接続を有する植え込み後の歯科インプラントシステムの断面図である。
【図１４】「骨レベル」インプラントを有する、別の植え込み後の歯科インプラントシステムの断面図である。
【図１５】歯冠方向からの、構造要素を有するインプラントの平面図である。
【図１６】歯冠方向からの、テーパ状になる構造要素を有するインプラントの平面図である。
【図１７ａ】さまざまな箱型構造要素の図である。
【図１７ｂ】さまざまな箱型構造要素の図である。
【図１７ｃ】さまざまな箱型構造要素の図である。
【図１７ｄ】さまざまな箱型構造要素の図である。
【図１７ｅ】さまざまな箱型構造要素の図である。
【図１８】クランプ面内に構造要素を有するインプラントの凹部に対する斜視図の詳細図である。
【図１９】切欠部付きインプラントおよび突出部付き補綴コンポーネントの断面の詳細図である。
【手続補正５】
【補正対象書類名】明細書
【補正対象項目名】０１１９
【補正方法】変更
【補正の内容】
【０１１９】
示されるインプラント１０は、補綴コンポーネント２０と共に、第１のテーパ接続および第２のテーパ接続を有するように構成されている。テーパ接続は、急勾配のテーパを有するクランプ面４５におけるクランプ接続である。テーパ接続の既知の例は、いわゆるモールステーパ接続である。クランプ面４５は、例えば、本質的に略円錐の側面として、したがって、例えば一方向にテーパ状になる略円柱として設計することができる。例えば、クランプ面４５は、本質的に回転対称の円錐台として設計することができる。クランプ面４５の対称的な形状は、例えば、切欠部（図示せず）および突出部（図示せず）などの構造要素（図示せず）によって中断させることができ、前記要素は、方向付け補助具、位置決め補助具および／またはねじれ（回転）保護部として機能することができ、以下により詳細に説明されている。
【手続補正６】
【補正対象書類名】明細書
【補正対象項目名】０１２３
【補正方法】変更
【補正の内容】
【０１２３】
示される例では、第２のテーパ接続のインプラント側接続部分５１のクランプ面４５はインプラント１０の内側に配置されている。より正確に表現すると、このクランプ面４５は、インプラントの凹部１６の中に配置され、その歯冠端部を形成する。示される断面図では、このクランプ面４５は、インプラントの凹部１６の歯冠端部の面取りとして表されている。このクランプ面４５もまた、例えば円錐台の表面として設計することができ、この円錐台から、任意選択で切欠部（図示の断面では認識できない）を凹ませることができ、および／またはその上に突出部（図示の断面では認識できない）を設置することができる。
【手続補正７】
【補正対象書類名】明細書
【補正対象項目名】０１５８
【補正方法】変更
【補正の内容】
【０１５８】
一実施形態では、インプラント１０は構造要素７０を備えることができ、補綴コンポーネントはこれらと適合する構造要素７０を備えることができる。例えば、インプラント１０は切欠部７１を備えることができ、補綴コンポーネント２０はこれらと一致する突出部（図示せず）を備えることができる。当然のことながら、切欠部と突出部は外側に丸くまたは混合して配置することもできる。インプラント１０の構造要素７０および補綴コンポーネント２０の構造要素７０は、互いに適合させることができ、特に少なくともある程度他方の逆の形状として設計することができる。
【手続補正８】
【補正対象書類名】明細書
【補正対象項目名】０１５９
【補正方法】変更
【補正の内容】
【０１５９】
示される例では、構造要素７０は、第２のテーパ接続のインプラント側接続部分５１のクランプ面４５の凹部によって、したがって切欠部７１によって形成される。全体として、４つのそのような構造要素７０が、示される断面図に表されており、これらは、例に示されるように回転対称に配置され、互いに９０°ずらされている。
【手続補正９】
【補正対象書類名】明細書
【補正対象項目名】０１６４
【補正方法】変更
【補正の内容】
【０１６４】
図１７は、切欠部７１として設計された箱状の構造要素７０の５つの例を示している。切欠部７１は、インプラント１０内および／または補綴コンポーネント２０内、例えばクランプ面内に配置することができる。
【手続補正１０】
【補正対象書類名】明細書
【補正対象項目名】０１７１
【補正方法】変更
【補正の内容】
【０１７１】
図１８は、インプラント１０の斜視図の詳細を示している。歯冠端部１４にあるインプラント１０は、締結手段凹部３１を有するインプラントの凹部１６を含んでいる。インプラントの凹部１６の内壁の歯冠端部は、テーパ接続用の雌型接続部分５１のクランプ面４５として設計されている。クランプ面４５は、箱状の切欠部７１の形態の４つの構造要素７０を有する円錐台として設計されている。４つの切欠部７１は、互いに対して９０°ずらされてクランプ面４５に配置されている。
【手続補正１１】
【補正対象書類名】明細書
【補正対象項目名】０１７３
【補正方法】変更
【補正の内容】
【０１７３】
インプラントの内側の雌型接続部分５１のクランプ面４５は、切欠部７１として設計され、クランプ面４５の根尖側端部に形成された構造要素７０を備える。補綴コンポーネント２０の対応する雄型接続部分４１は、突出部７２の形態で、これに対応する方法で配置および設計された構造要素を備える。突出部７２は、本質的に切欠部７１の逆のものとして設計されており、切欠部７１と一緒にポジティブフィットを一般的に示すように構成されている。示される例では、示される２つの構造要素７０は、それぞれ１つのステップとして設計されている。